(57)【要約】本出願の実施形態は、上りリンク測定参照信号電力制御方法、ネットワークデバイス、及び端末デバイスを提供する。方法は、ネットワークデバイスにより、上りリンク測定参照信号の電力指示情報を生成することであって、電力指示情報は、送信電力目標値、送信電力調整値、及び経路損失情報のうちの少なくとも１つを含む、生成することと、ネットワークデバイスにより、電力制御情報を端末デバイスに送信することと、を含む。本出願の実施形態において提供される方法に従うと、ネットワークデバイスは、電力指示情報を生成し、電力指示情報は、前述の３つのタイプの情報のうちの少なくとも１つを含み、端末デバイスに示され、その結果、端末デバイスは、電力指示情報に基づいて、サウンディング参照信号をネットワークデバイスに送信し、ネットワークデバイスは、端末デバイスがサウンディング参照信号を送信するときに使用される送信電力を正確に制御する。
2020505857.tif 000002
【特許請求の範囲】
【請求項１】
ネットワークデバイスにより、上りリンク測定参照信号の電力指示情報を生成することであって、前記電力指示情報は、送信電力目標値、送信電力調整値、及び経路損失情報のうちの少なくとも１つを含む、生成することと、
前記ネットワークデバイスにより、前記電力制御情報を端末デバイスに送信することと、
を含む上りリンク測定参照信号電力制御方法。
【請求項２】
前記経路損失情報は、次のもの、すなわち、経路損失値、参照信号受信電力ＲＳＲＰ値、及び、経路損失計算中に参照される少なくとも１つの下りリンク測定参照リソースのうちの少なくとも１つを含む、請求項１に記載の方法。
【請求項３】
前記方法は、
複数の上りリンク測定参照信号リソースに対して、前記ネットワークデバイスにより、以下の処理、すなわち、
各上りリンク測定参照信号リソースについて、別個の送信電力調整値、別個の送信電力調整値、及び別個の経路損失情報を設定すること、
各上りリンク測定参照信号リソースについて、別個の目標値及び別個の調整値を設定し、共有経路損失情報を設定すること、
各上りリンク測定参照信号リソースについて、別個の目標値を設定し、共有調整値及び共有経路損失情報を設定すること、
各上りリンク測定参照信号リソースについて、別個の目標値及び別個の経路損失情報を設定し、共有調整値を設定すること、
共有目標値を設定し、各上りリンク測定参照信号リソースについて、別個の調整値及び別個の経路損失情報を設定すること、
共有目標値及び共有経路損失情報を設定し、各上りリンク測定参照信号リソースについて、別個の調整値を設定すること、
共有目標値、共有調整値、及び共有経路損失情報を設定すること、又は
共有目標値及び共有調整値を設定し、各上りリンク測定参照信号リソースについて、別個の経路損失情報を設定すること
のうちのいずれかを実行すること
をさらに含む、請求項１又は２に記載の方法。
【請求項４】
前記方法は、
前記ネットワークデバイスにより、前記電力指示情報に対応する形成情報を生成することであって、前記形成情報は、次のもの、すなわち、前記下りリンク測定参照リソースのインデックス、コードブックインデックス値、及び量子化チャネル情報のうちの少なくとも１つを含む、生成することと、
前記ネットワークデバイスにより、前記形成情報を前記端末デバイスに送信することと、
をさらに含む、請求項１乃至３のうちのいずれか一項に記載の方法。
【請求項５】
端末デバイスにより、電力指示情報を受信することであって、前記電力指示情報は、上りリンク測定参照信号の送信電力目標値、送信電力調整値、及び経路損失情報のうちの少なくとも１つを含む、受信することと、
前記端末デバイスにより、前記電力制御情報に基づいて、前記上りリンク測定参照信号を前記ネットワークデバイスに送信することと、
を含む上りリンク測定参照信号電力制御方法。
【請求項６】
前記経路損失情報は、次のもの、すなわち、経路損失値、参照信号受信電力ＲＳＲＰ値、及び、経路損失計算中に参照される少なくとも１つの下りリンク測定参照リソースのうちの少なくとも１つを含む、請求項５に記載の方法。
【請求項７】
前記方法は、
前記端末デバイスにより、複数の下りリンク測定参照リソースの各々の経路損失値を計算することと、
前記端末デバイスにより、前記の複数の経路損失値の平均値、前記の複数の経路損失値の最小経路損失値、又は前記の複数の経路損失値の最大経路損失値が、前記経路損失値であるということを決定することと、
をさらに含む、請求項５又は６に記載の方法。
【請求項８】
前記電力指示情報に基づいて前記端末デバイスにより得られる、複数の送信電力目標値、複数の送信電力調整値、及び複数の経路損失情報が、複数の上りリンク測定参照信号リソースに対応する、又は
前記電力指示情報に基づいて前記端末デバイスにより得られる、複数の目標値及び複数の調整値が、複数の上りリンク測定参照信号リソースに対応し、前記電力指示情報に基づいて前記端末デバイスにより得られる１つの経路損失情報が、該複数の上りリンク測定参照信号リソースに対応する、又は
前記電力指示情報に基づいて前記端末デバイスにより得られる複数の目標値が、複数の上りリンク測定参照信号リソースに対応し、前記電力指示情報に基づいて前記端末デバイスにより得られる、１つの調整値及び１つの経路損失情報が、該複数の上りリンク測定参照信号リソースに対応する、又は
前記電力指示情報に基づいて前記端末デバイスにより得られる、複数の目標値及び複数の経路損失情報が、複数の上りリンク測定参照信号リソースに対応し、前記電力指示情報に基づいて前記端末デバイスにより得られる１つの調整値が、該複数の上りリンク測定参照信号リソースに対応する、又は
前記電力指示情報に基づいて前記端末デバイスにより得られる１つの目標値が、複数の上りリンク測定参照信号リソースに対応し、前記電力指示情報に基づいて前記端末デバイスにより得られる、複数の調整値及び複数の経路損失情報が、該複数の上りリンク測定参照信号リソースに対応する、又は
前記電力指示情報に基づいて前記端末デバイスにより得られる、１つの目標値及び１つの経路損失情報が、複数の上りリンク測定参照信号リソースに対応し、前記電力指示情報に基づいて前記端末デバイスにより得られる複数の調整値が、該複数の上りリンク測定参照信号リソースに対応する、又は
前記電力指示情報に基づいて前記端末デバイスにより得られる、１つの目標値、１つの調整値、及び１つの経路損失情報が、複数の上りリンク測定参照信号リソースに対応する、又は
前記電力指示情報に基づいて前記端末デバイスにより得られる、１つの目標値及び１つの調整値が、複数の上りリンク測定参照信号リソースに対応し、前記電力指示情報に基づいて前記端末デバイスにより得られる複数の経路損失情報が、該複数の上りリンク測定参照信号リソースに対応する、請求項５乃至７のうちのいずれか一項に記載の方法。
【請求項９】
前記方法は、
前記端末デバイスにより、前記ネットワークデバイスから形成情報を受信することであって、前記形成情報は、前記電力指示情報に対応し、前記形成情報は、前記下りリンク測定参照リソースのインデックス、コードブックインデックス値、又は量子化チャネル情報を含む、受信することと、
前記端末デバイスにより、前記電力制御情報及び前記形成情報に基づいて、前記上りリンク測定参照信号を前記ネットワークデバイスに送信することと、
をさらに含む、請求項５乃至８のうちのいずれか一項に記載の方法。
【請求項１０】
上りリンク測定参照信号の電力指示情報を生成するよう構成されている処理モジュールであって、前記電力指示情報は、送信電力目標値、送信電力調整値、及び経路損失情報のうちの少なくとも１つを含む、処理モジュールと、
前記電力制御情報を端末デバイスに送信するよう構成されている送信モジュールと、
を有するネットワークデバイス。
【請求項１１】
前記経路損失情報は、次のもの、すなわち、経路損失値、参照信号受信電力ＲＳＲＰ値、及び、経路損失計算中に参照される少なくとも１つの下りリンク測定参照リソースのうちの少なくとも１つを含む、請求項１０に記載のネットワークデバイス。
【請求項１２】
複数の上りリンク測定参照信号リソースに対して、前記処理モジュールは、以下の処理、すなわち、
各上りリンク測定参照信号リソースについて、別個の送信電力調整値、別個の送信電力調整値、及び別個の経路損失情報を設定すること、
各上りリンク測定参照信号リソースについて、別個の目標値及び別個の調整値を設定し、共有経路損失情報を設定すること、
各上りリンク測定参照信号リソースについて、別個の目標値を設定し、共有調整値及び共有経路損失情報を設定すること、
各上りリンク測定参照信号リソースについて、別個の目標値及び別個の経路損失情報を設定し、共有調整値を設定すること、
共有目標値を設定し、各上りリンク測定参照信号リソースについて、別個の調整値及び別個の経路損失情報を設定すること、
共有目標値及び共有経路損失情報を設定し、各上りリンク測定参照信号リソースについて、別個の調整値を設定すること、
共有目標値、共有調整値、及び共有経路損失情報を設定すること、又は
共有目標値及び共有調整値を設定し、各上りリンク測定参照信号リソースについて、別個の経路損失情報を設定すること
のうちのいずれかを実行するようさらに構成されている、請求項１０又は１１に記載のネットワークデバイス。
【請求項１３】
前記ネットワークデバイスにおいて、
前記処理モジュールは、前記電力指示情報に対応する形成情報を生成するようさらに構成されており、前記形成情報は、次のもの、すなわち、前記下りリンク測定参照リソースのインデックス、コードブックインデックス値、及び量子化チャネル情報のうちの少なくとも１つを含み、
前記送信モジュールは、前記形成情報を前記端末デバイスに送信するようさらに構成されている、請求項１０乃至１２のうちのいずれか一項に記載のネットワークデバイス。
【請求項１４】
電力指示情報を受信するよう構成されている受信モジュールであって、前記電力指示情報は、上りリンク測定参照信号の送信電力目標値、送信電力調整値、及び経路損失情報のうちの少なくとも１つを含む、受信モジュールと、
前記電力制御情報に基づいて、前記上りリンク測定参照信号を生成するよう構成されている処理モジュールと、
前記上りリンク測定参照信号を前記ネットワークデバイスに送信するよう構成されている送信モジュールと、
を有する端末デバイス。
【請求項１５】
前記経路損失情報は、次のもの、すなわち、経路損失値、参照信号受信電力ＲＳＲＰ値、及び、経路損失計算中に参照される少なくとも１つの下りリンク測定参照リソースのうちの少なくとも１つを含む、請求項１４に記載の端末デバイス。
【請求項１６】
前記端末デバイスにおいて、
前記処理モジュールは、複数の下りリンク測定参照リソースの各々の経路損失値を計算するようさらに構成されており、
前記処理モジュールは、前記の複数の経路損失値の平均値、前記の複数の経路損失値の最小経路損失値、又は前記の複数の経路損失値の最大経路損失値が、前記経路損失値であるということを決定するようさらに構成されている、請求項１４又は１５に記載の端末デバイス。
【請求項１７】
前記電力指示情報に基づいて前記処理モジュールにより得られる、複数の送信電力目標値、複数の送信電力調整値、及び複数の経路損失情報が、複数の上りリンク測定参照信号リソースに対応する、又は
前記電力指示情報に基づいて前記処理モジュールにより得られる、複数の目標値及び複数の調整値が、複数の上りリンク測定参照信号リソースに対応し、前記電力指示情報に基づいて前記処理モジュールにより得られる１つの経路損失情報が、該複数の上りリンク測定参照信号リソースに対応する、又は
前記電力指示情報に基づいて前記処理モジュールにより得られる複数の目標値が、複数の上りリンク測定参照信号リソースに対応し、前記電力指示情報に基づいて前記処理モジュールにより得られる、１つの調整値及び１つの経路損失情報が、該複数の上りリンク測定参照信号リソースに対応する、又は
前記電力指示情報に基づいて前記処理モジュールにより得られる、複数の目標値及び複数の経路損失情報が、複数の上りリンク測定参照信号リソースに対応し、前記電力指示情報に基づいて前記処理モジュールにより得られる１つの調整値が、該複数の上りリンク測定参照信号リソースに対応する、又は
前記電力指示情報に基づいて前記処理モジュールにより得られる１つの目標値が、複数の上りリンク測定参照信号リソースに対応し、前記電力指示情報に基づいて前記処理モジュールにより得られる、複数の調整値及び複数の経路損失情報が、該複数の上りリンク測定参照信号リソースに対応する、又は
前記電力指示情報に基づいて前記処理モジュールにより得られる、１つの目標値及び１つの経路損失情報が、複数の上りリンク測定参照信号リソースに対応し、前記電力指示情報に基づいて前記処理モジュールにより得られる複数の調整値が、該複数の上りリンク測定参照信号リソースに対応する、又は
前記電力指示情報に基づいて前記処理モジュールにより得られる、１つの目標値、１つの調整値、及び１つの経路損失情報が、複数の上りリンク測定参照信号リソースに対応する、又は
前記電力指示情報に基づいて前記処理モジュールにより得られる、１つの目標値及び１つの調整値が、複数の上りリンク測定参照信号リソースに対応し、前記電力指示情報に基づいて前記処理モジュールにより得られる複数の経路損失情報が、該複数の上りリンク測定参照信号リソースに対応する、請求項１４乃至１６のうちのいずれか一項に記載の端末デバイス。
【請求項１８】
前記端末デバイスにおいて、
前記受信モジュールは、前記ネットワークデバイスから形成情報を受信するようさらに構成されており、前記形成情報は、前記電力指示情報に対応し、前記形成情報は、前記下りリンク測定参照リソースのインデックス、コードブックインデックス値、又は量子化チャネル情報を含み、
前記処理モジュールは、前記電力制御情報及び前記形成情報に基づいて、前記上りリンク測定参照信号を生成するようさらに構成されており、
前記送信モジュールは、前記上りリンク測定参照信号を前記ネットワークデバイスに送信するようさらに構成されている、請求項１４乃至１７のうちのいずれか一項に記載の端末デバイス。
【請求項１９】
命令を含むコンピュータ読み取り可能な記憶媒体であって、前記命令がコンピュータ上で実行されたときに、前記コンピュータは、請求項１乃至４のうちのいずれか一項に記載の方法を実行する、又は、前記コンピュータは、請求項５乃至９のうちのいずれか一項に記載の方法を実行する、コンピュータ読み取り可能な記憶媒体。
【請求項２０】
コンピュータプログラム製品であって、前記コンピュータプログラム製品がコンピュータ上で実行されたときに、前記コンピュータは、請求項１乃至４のうちのいずれか一項に記載の方法を実行する、又は、前記コンピュータは、請求項５乃至９のうちのいずれか一項に記載の方法を実行する、コンピュータプログラム製品。
【請求項２１】
メモリと、プロセッサと、前記メモリに記憶されており前記プロセッサ上で実行されるコンピュータプログラムと、を有する通信デバイスであって、前記プログラムを実行したときに、前記プロセッサは、請求項１乃至４のうちのいずれか一項に記載の方法を実施する、又は、請求項５乃至９のうちのいずれか一項に記載の方法を実施する、通信デバイス。
【発明の詳細な説明】
【技術分野】
【０００１】
本出願は、通信技術の分野に関し、詳細には、上りリンク測定参照信号電力制御方法、ネットワークデバイス、及び端末デバイスに関する。
【背景技術】
【０００２】
５Ｇニューラジオ（5th  generation  new  radio、５Ｇ  ＮＲ）の高周波数通信シナリオにおいて、上りリンク測定参照信号（Sounding  Reference  Signal、ＳＲＳ）のカバレッジ範囲及び伝送効率を高めるために、基地局及び端末の送信／受信アンテナの量がさらに増大される。送信される上りリンクＳＲＳは、既存のＬＴＥシステムにおけるプリコーディングされていないＳＲＳ（non-precoded  SRS）であることもあるし、又は、プリコーディングされたＳＲＳ（precoded  SRS）及び／又はビームフォーミングＳＲＳ（beamforming  SRS）であることもある。
【０００３】
しかしながら、プリコーディングされたＳＲＳ又はビームフォーミングＳＲＳのみが送信されるとき、セル中央のユーザは、完全なチャネル情報を得ることができず、プリコーディングされたＳＲＳ又はビームフォーミングＳＲＳにより使用される形成情報又はプリコーディング行列を得るのも難しい。したがって、５Ｇ移動通信システムの典型的な適用シナリオにおいて、２つの異なる形態のＳＲＳが一般に含まれ、一方は、プリコーディングされたＳＲＳ又はビームフォーミングＳＲＳにより使用される形成情報又はプリコーディング行列を得るために使用される既存のＳＲＳリソースであり、他方は、プリコーディングされたＳＲＳ又はビームフォーミングＳＲＳである。複数のＳＲＳリソースが共存するシナリオにおいて、ＳＲＳ送信モードとデータ送信モードとにおける送信アンテナポートの量は、完全に同じであるわけではなく、送信アンテナポートと送信アンテナとの間の形成方式は、完全に同じであるわけではない。例えば、ＳＲＳ送信モードにおいて、ＳＲＳは、４つのアンテナポートを介して送信され、４×４ユニットアレイで形成され、データ送信モードにおいて、データは、２つのアンテナポートを介して送信され、２×４ユニットアレイで形成される。加えて、異なるＳＲＳリソースは、異なるビームを使用し、異なるビームはまた、異なるビーム利得及びビームカバレッジ範囲を有する。
【０００４】
既存のＳＲＳ電力制御ポリシーが依然として使用され、具体的には、１つのＳＲＳ電力設定モードのみが利用可能であり、ＳＲＳ電力制御ポリシーの設定が、データ電力制御ポリシーの設定に関連付けられている場合、端末デバイスが移動するとき、同じ瞬間において送信されるＳＲＳリソース及び異なる瞬間において送信される複数のＳＲＳリソースは、同じＳＲＳリソース電力制御ポリシーに対応する。結果として、複数のＳＲＳリソースは、例えばＳＲＳ電力が不足している又は過剰であるというように、チャネル状態と整合しないことがある。
【発明の概要】
【０００５】
本出願の実施形態は、複数のＳＲＳリソースが同じＳＲＳ電力制御ポリシーに起因してチャネル状態と整合しないという従来技術の問題を解決するために、上りリンク測定参照信号電力制御方法、ネットワークデバイス、及び端末デバイスを提供する。
【０００６】
前述の技術的問題を解決するために、本出願の実施形態は、以下の技術的解決策を開示する。本出願の実施形態の第１の態様に従うと、ネットワークデバイスにより、上りリンク測定参照信号の電力指示情報を生成することであって、電力指示情報は、送信電力目標値、送信電力調整値、及び経路損失情報のうちの少なくとも１つを含む、生成することと、ネットワークデバイスにより、電力制御情報を端末デバイスに送信することと、を含む上りリンク測定参照信号電力制御方法が提供される。
【０００７】
第１の態様を参照して、第１の態様の第１の可能な実施態様において、経路損失情報は、次のもの、すなわち、経路損失値、参照信号受信電力ＲＳＲＰ値、及び、経路損失計算中に参照される少なくとも１つの下りリンク測定参照リソースのうちの少なくとも１つを含む。
【０００８】
第１の態様を参照して、第１の態様の第２の可能な実施態様において、この方法は、複数の上りリンク測定参照信号リソースに対して、ネットワークデバイスにより、以下の処理、すなわち、各上りリンク測定参照信号リソースについて、別個の送信電力調整値、別個の送信電力調整値、及び別個の経路損失情報を設定すること、各上りリンク測定参照信号リソースについて、別個の目標値及び別個の調整値を設定し、共有経路損失情報を設定すること、各上りリンク測定参照信号リソースについて、別個の目標値を設定し、共有調整値及び共有経路損失情報を設定すること、各上りリンク測定参照信号リソースについて、別個の目標値及び別個の経路損失情報を設定し、共有調整値を設定すること、共有目標値を設定し、各上りリンク測定参照信号リソースについて、別個の調整値及び別個の経路損失情報を設定すること、共有目標値及び共有経路損失情報を設定し、各上りリンク測定参照信号リソースについて、別個の調整値を設定すること、共有目標値、共有調整値、及び共有経路損失情報を設定すること、又は、共有目標値及び共有調整値を設定し、各上りリンク測定参照信号リソースについて、別個の経路損失情報を設定することのうちのいずれかを実行することをさらに含む。
【０００９】
第１の態様を参照して、第１の態様の第３の可能な実施態様において、この方法は、ネットワークデバイスにより、電力指示情報に対応する形成情報を生成することであって、形成情報は、次のもの、すなわち、下りリンク測定参照リソースのインデックス、コードブックインデックス値、及び量子化チャネル情報のうちの少なくとも１つを含む、生成することと、ネットワークデバイスにより、形成情報を端末デバイスに送信することと、をさらに含む。
【００１０】
第２の態様に従うと、本出願の実施形態は、端末デバイスにより、電力指示情報を受信することであって、電力指示情報は、上りリンク測定参照信号の送信電力目標値、送信電力調整値、及び経路損失情報のうちの少なくとも１つを含む、受信することと、端末デバイスにより、電力制御情報に基づいて、上りリンク測定参照信号をネットワークデバイスに送信することと、を含む上りリンク測定参照信号電力制御方法を提供する。
【００１１】
第２の態様を参照して、第２の態様の第１の可能な実施態様において、経路損失情報は、次のもの、すなわち、経路損失値、参照信号受信電力ＲＳＲＰ値、及び、経路損失計算中に参照される少なくとも１つの下りリンク測定参照リソースのうちの少なくとも１つを含む。
【００１２】
第２の態様を参照して、第２の態様の第２の可能な実施態様において、この方法は、端末デバイスにより、複数の下りリンク測定参照リソースの各々の経路損失値を計算することと、端末デバイスにより、複数の経路損失値の平均値、複数の経路損失値の最小経路損失値、又は複数の経路損失値の最大経路損失値が、経路損失値であるということを決定することと、をさらに含む。
【００１３】
第２の態様を参照して、第２の態様の第３の可能な実施態様において、電力指示情報に基づいて端末デバイスにより得られる、複数の送信電力目標値、複数の送信電力調整値、及び複数の経路損失情報が、複数の上りリンク測定参照信号リソースに対応する、又は、電力指示情報に基づいて端末デバイスにより得られる、複数の目標値及び複数の調整値が、複数の上りリンク測定参照信号リソースに対応し、電力指示情報に基づいて端末デバイスにより得られる１つの経路損失情報が、複数の上りリンク測定参照信号リソースに対応する、又は、電力指示情報に基づいて端末デバイスにより得られる複数の目標値が、複数の上りリンク測定参照信号リソースに対応し、電力指示情報に基づいて端末デバイスにより得られる、１つの調整値及び１つの経路損失情報が、複数の上りリンク測定参照信号リソースに対応する、又は、電力指示情報に基づいて端末デバイスにより得られる、複数の目標値及び複数の経路損失情報が、複数の上りリンク測定参照信号リソースに対応し、電力指示情報に基づいて端末デバイスにより得られる１つの調整値が、複数の上りリンク測定参照信号リソースに対応する、又は、電力指示情報に基づいて端末デバイスにより得られる１つの目標値が、複数の上りリンク測定参照信号リソースに対応し、電力指示情報に基づいて端末デバイスにより得られる、複数の調整値及び複数の経路損失情報が、複数の上りリンク測定参照信号リソースに対応する、又は、電力指示情報に基づいて端末デバイスにより得られる、１つの目標値及び１つの経路損失情報が、複数の上りリンク測定参照信号リソースに対応し、電力指示情報に基づいて端末デバイスにより得られる複数の調整値が、複数の上りリンク測定参照信号リソースに対応する、又は、電力指示情報に基づいて端末デバイスにより得られる、１つの目標値、１つの調整値、及び１つの経路損失情報が、複数の上りリンク測定参照信号リソースに対応する、又は、電力指示情報に基づいて端末デバイスにより得られる、１つの目標値及び１つの調整値が、複数の上りリンク測定参照信号リソースに対応し、電力指示情報に基づいて端末デバイスにより得られる複数の経路損失情報が、複数の上りリンク測定参照信号リソースに対応する。
【００１４】
第２の態様を参照して、第２の態様の第４の可能な実施態様において、この方法は、端末デバイスにより、ネットワークデバイスから形成情報を受信することであって、形成情報は、電力指示情報に対応し、形成情報は、下りリンク測定参照リソースのインデックス、コードブックインデックス値、又は量子化チャネル情報を含む、受信することと、端末デバイスにより、電力制御情報及び形成情報に基づいて、上りリンク測定参照信号をネットワークデバイスに送信することと、をさらに含む。
【００１５】
第３の態様に従うと、本出願の実施形態は、上りリンク測定参照信号の電力指示情報を生成するよう構成されている処理モジュールであって、電力指示情報は、送信電力目標値、送信電力調整値、及び経路損失情報のうちの少なくとも１つを含む、処理モジュールと、電力制御情報を端末デバイスに送信するよう構成されている送信モジュールと、を含むネットワークデバイスを提供する。
【００１６】
第３の態様を参照して、第３の態様の第１の可能な実施態様において、経路損失情報は、次のもの、すなわち、経路損失値、参照信号受信電力ＲＳＲＰ値、及び、経路損失計算中に参照される少なくとも１つの下りリンク測定参照リソースのうちの少なくとも１つを含む。
【００１７】
第３の態様を参照して、第３の態様の第２の可能な実施態様において、複数の上りリンク測定参照信号リソースに対して、処理モジュールは、以下の処理、すなわち、各上りリンク測定参照信号リソースについて、別個の送信電力調整値、別個の送信電力調整値、及び別個の経路損失情報を設定すること、各上りリンク測定参照信号リソースについて、別個の目標値及び別個の調整値を設定し、共有経路損失情報を設定すること、各上りリンク測定参照信号リソースについて、別個の目標値を設定し、共有調整値及び共有経路損失情報を設定すること、各上りリンク測定参照信号リソースについて、別個の目標値及び別個の経路損失情報を設定し、共有調整値を設定すること、共有目標値を設定し、各上りリンク測定参照信号リソースについて、別個の調整値及び別個の経路損失情報を設定すること、共有目標値及び共有経路損失情報を設定し、各上りリンク測定参照信号リソースについて、別個の調整値を設定すること、共有目標値、共有調整値、及び共有経路損失情報を設定すること、又は、共有目標値及び共有調整値を設定し、各上りリンク測定参照信号リソースについて、別個の経路損失情報を設定することのうちのいずれかを実行するようさらに構成されている。
【００１８】
第３の態様を参照して、第３の態様の第３の可能な実施態様において、このネットワークデバイスにおいて、処理モジュールは、電力指示情報に対応する形成情報を生成するようさらに構成されており、形成情報は、次のもの、すなわち、下りリンク測定参照リソースのインデックス、コードブックインデックス値、及び量子化チャネル情報のうちの少なくとも１つを含み、送信モジュールは、形成情報を端末デバイスに送信するようさらに構成されている。
【００１９】
第４の態様に従うと、本出願の実施形態は、電力指示情報を受信するよう構成されている受信モジュールであって、電力指示情報は、上りリンク測定参照信号の送信電力目標値、送信電力調整値、及び経路損失情報のうちの少なくとも１つを含む、受信モジュールと、電力制御情報に基づいて、上りリンク測定参照信号を生成するよう構成されている処理モジュールと、上りリンク測定参照信号をネットワークデバイスに送信するよう構成されている送信モジュールと、を含む端末デバイスを提供する。
【００２０】
第４の態様を参照して、第４の態様の第１の可能な実施態様において、経路損失情報は、次のもの、すなわち、経路損失値、参照信号受信電力ＲＳＲＰ値、及び、経路損失計算中に参照される少なくとも１つの下りリンク測定参照リソースのうちの少なくとも１つを含む。
【００２１】
第４の態様を参照して、第４の態様の第２の可能な実施態様において、この端末デバイスにおいて、処理モジュールは、複数の下りリンク測定参照リソースの各々の経路損失値を計算するようさらに構成されており、処理モジュールは、複数の経路損失値の平均値、複数の経路損失値の最小経路損失値、又は複数の経路損失値の最大経路損失値が、経路損失値であるということを決定するようさらに構成されている。
【００２２】
第４の態様を参照して、第４の態様の第３の可能な実施態様において、電力指示情報に基づいて処理モジュールにより得られる、複数の送信電力目標値、複数の送信電力調整値、及び複数の経路損失情報が、複数の上りリンク測定参照信号リソースに対応する、又は、電力指示情報に基づいて処理モジュールにより得られる、複数の目標値及び複数の調整値が、複数の上りリンク測定参照信号リソースに対応し、電力指示情報に基づいて処理モジュールにより得られる１つの経路損失情報が、複数の上りリンク測定参照信号リソースに対応する、又は、電力指示情報に基づいて処理モジュールにより得られる複数の目標値が、複数の上りリンク測定参照信号リソースに対応し、電力指示情報に基づいて処理モジュールにより得られる、１つの調整値及び１つの経路損失情報が、複数の上りリンク測定参照信号リソースに対応する、又は、電力指示情報に基づいて処理モジュールにより得られる、複数の目標値及び複数の経路損失情報が、複数の上りリンク測定参照信号リソースに対応し、電力指示情報に基づいて処理モジュールにより得られる１つの調整値が、複数の上りリンク測定参照信号リソースに対応する、又は、電力指示情報に基づいて処理モジュールにより得られる１つの目標値が、複数の上りリンク測定参照信号リソースに対応し、電力指示情報に基づいて処理モジュールにより得られる、複数の調整値及び複数の経路損失情報が、複数の上りリンク測定参照信号リソースに対応する、又は、電力指示情報に基づいて処理モジュールにより得られる、１つの目標値及び１つの経路損失情報が、複数の上りリンク測定参照信号リソースに対応し、電力指示情報に基づいて処理モジュールにより得られる複数の調整値が、複数の上りリンク測定参照信号リソースに対応する、又は、電力指示情報に基づいて処理モジュールにより得られる、１つの目標値、１つの調整値、及び１つの経路損失情報が、複数の上りリンク測定参照信号リソースに対応する、又は、電力指示情報に基づいて処理モジュールにより得られる、１つの目標値及び１つの調整値が、複数の上りリンク測定参照信号リソースに対応し、電力指示情報に基づいて処理モジュールにより得られる複数の経路損失情報が、複数の上りリンク測定参照信号リソースに対応する。
【００２３】
第４の態様を参照して、第４の態様の第４の可能な実施態様において、この端末デバイスにおいて、受信モジュールは、ネットワークデバイスから形成情報を受信するようさらに構成されており、形成情報は、電力指示情報に対応し、形成情報は、下りリンク測定参照リソースのインデックス、コードブックインデックス値、又は量子化チャネル情報を含み、処理モジュールは、電力制御情報及び形成情報に基づいて、上りリンク測定参照信号を生成するようさらに構成されており、送信モジュールは、上りリンク測定参照信号をネットワークデバイスに送信するようさらに構成されている。
【００２４】
本出願の実施形態において提供される技術的解決策は、以下の有益な効果を含み得る。本出願の実施形態において、ネットワークデバイスは、まず、上りリンク測定参照信号の電力指示情報を生成し、電力指示情報は、送信電力調整値、送信電力調整値、及び経路損失情報のうちの少なくとも１つを含む。次いで、ネットワークデバイスは、電力制御情報を端末デバイスに送信する。端末デバイスが電力指示情報を受信した後、端末デバイスは、電力制御情報に基づいて、上りリンク測定参照信号をネットワークデバイスに送信する。
【００２５】
本出願の実施形態において提供される方法に従うと、ネットワークデバイスは、電力指示情報を生成し、電力指示情報は、前述の３つのタイプの情報のうちの少なくとも１つを含み、端末デバイスに示され、その結果、端末デバイスは、電力指示情報に基づいて、サウンディング参照信号をネットワークデバイスに送信し、ネットワークデバイスは、端末デバイスがサウンディング参照信号を送信するときに使用される送信電力を正確に制御する。
【００２６】
前述の概括的な説明及び以下の詳細な説明は、説明のための単に例であり、本出願を限定するものではないことが理解されるべきである。
【図面の簡単な説明】
【００２７】
本出願の実施形態における技術的解決策をより明確に説明するために、以下は、実施形態を説明するために必要とされる添付の図面を簡単に説明する。
【図１】図１は、例示的な実施形態に従った上りリンク測定参照信号電力制御方法のフローチャートである。
【図２】図２は、例示的な実施形態に従った複数のＳＲＳリソースについての電力を示す概略図である。
【図３】図３は、例示的な実施形態に従った複数のＳＲＳリソースについての電力を示す別の概略図である。
【図４】図４は、例示的な実施形態に従った複数のＳＲＳリソースについての電力を示す別の概略図である。
【図５】図５は、例示的な実施形態に従った複数のＳＲＳリソースについての電力を示す別の概略図である。
【図６】図６は、例示的な実施形態に従った複数のＳＲＳリソースについての電力を示す別の概略図である。
【図７】図７は、例示的な実施形態に従った複数のＳＲＳリソースについての電力を示す別の概略図である。
【図８】図８は、例示的な実施形態に従った複数のＳＲＳリソースについての電力を示す別の概略図である。
【図９】図９は、例示的な実施形態に従った別の上りリンク測定参照信号電力制御方法のフローチャートである。
【図１０】図１０は、例示的な実施形態に従ったネットワークデバイスの概略構成図である。
【図１１】図１１は、例示的な実施形態に従った端末デバイスの概略構成図である。
【図１２】図１２は、本出願の実施形態に従った別のネットワークデバイスの概略構成図である。
【図１３】図１３は、本出願の実施形態に従った別の端末デバイスの概略構成図である。
【発明を実施するための形態】
【００２８】
本出願の技術的解決策を当業者により良く理解してもらうために、以下は、本出願の実施形態において、添付の図面を参照して、本出願の実施形態における技術的解決策を説明する。
【００２９】
複数のＳＲＳリソースとチャネル状態との間で整合をとるために、図１に示されているように、本出願の実施形態において、上りリンク測定参照信号電力制御方法が提供される。実際の適用において、上りリンクチャネル周波数領域情報を推定し、周波数選択スケジューリングを実行するのを助けるために、端末デバイス２は、基地局１にＳＲＳを周期的に送信する。この方法は、以下のステップを含む。
【００３０】
ステップＳ１０１において、ネットワークデバイスは、上りリンク測定参照信号の電力指示情報を生成する。
【００３１】
本出願のこの実施形態において、電力指示情報は、送信電力目標値、送信電力調整値、及び経路損失情報のうちの少なくとも１つを含む。本出願のこの実施形態において、上りリンク測定参照信号は、サウンディング参照信号（sounding  reference  signal、ＳＲＳ）又は同様のものであってよい。実際の適用において、上りリンク測定参照信号は、別の形態の上りリンク測定参照信号であってもよい。経路損失情報は、次のもの、すなわち、経路損失値、参照信号受信電力ＲＳＲＰ値、及び、経路損失計算中に参照される少なくとも１つの下りリンク測定参照リソースのうちの少なくとも１つを含む。
【００３２】
既存のＳＲＳ電力制御ポリシーは、安定した範囲内で上りリンク平均熱干渉（interference  over  thermal、ＩｏＴ）を維持することができず、これは、チャネル受信に影響を及ぼすので、本出願の実施形態において、複数の上りリンク測定参照信号リソースに対して、ネットワークデバイスは、各上りリンク測定参照信号リソースについて、別個の送信電力調整値、別個の送信電力調整値、及び別個の経路損失情報を設定することができる、すなわち、ネットワークデバイスは、別個の目標値、別個の調整値、及び別個の経路損失情報を設定する。
【００３３】
例えば、図２に示されているように、ネットワークデバイスは、各ＳＲＳリソースについて、上りリンク測定参照信号の電力指示情報を決定し、上りリンク測定参照信号の電力指示情報は、目標値
【数１】
2020505857.tif 000003
、調整値
【数２】
2020505857.tif 000004
、及び経路損失情報
【数３】
2020505857.tif 000005
を含む。
【００３４】
ネットワークデバイスは、ＲＲＣシグナリング又はＭＡＣ  ＣＥシグナリングを通じて、目標値
【数４】
2020505857.tif 000006
及び経路損失情報
【数５】
2020505857.tif 000007
を設定する。この情報は、通常、ＳＲＳリソース設定シグナリングと結び付けられる。経路損失情報は、経路損失値、又は、経路損失値が計算されるときに使用される対応する下りリンク測定参照信号リソース（例えば、下りリンク測定参照信号リソースのインデックスｍ）を示すために使用され得る。経路損失計算中に参照される下りリンク測定参照リソースは、１つの下りリンク測定参照リソース又は複数の下りリンク測定参照リソースであってよい。後者について、端末が、経路損失値が計算されるときに使用される対応する下りリンク測定参照信号リソースを知っているとき、端末は、下りリンク測定参照信号リソースを使用することによって計算された記憶されている経路損失値又はＲＳＲＰ値を直接読み出すことができる。端末が、参照信号受信電力（reference  signal  received  power、ＲＳＲＰ）値のみを読み出すことができる場合、端末は、さらに、経路損失情報ＰＬ＝Ｐｔｘ−ＲＳＲＰに基づいて、経路損失値を計算する。経路損失計算中に参照される下りリンク測定参照リソースが複数の下りリンク測定参照リソースである場合、端末は、複数の下りリンク測定参照リソースに基づいて計算された経路損失値の平均値をとる、又は、複数の下りリンク測定参照リソースに基づいて計算された経路損失値から最小値をとる、又は、複数の下りリンク測定参照リソースに基づいて計算された経路損失値から最大値をとる。
【００３５】
ネットワークデバイスは、物理層シグナリングを通じて、調整値
【数６】
2020505857.tif 000008
を設定する。典型的には、物理層シグナリングの上りリンク電力制御領域は、各ＳＲＳリソースについての電力制御調整値をそれぞれ示す複数のＳＲＳリソース電力制御調整値を含む。電力調整値は、累積方式で示されることもあるし、又は、直接方式で示されることもある。
【００３６】
本出願のこの実施形態は、各ＳＲＳリソースの上りリンク電力が正確に制御されるように、例えば、異なるＳＲＳリソースが、異なるアナログビーム及びデジタルビームを使用するといった、任意のＳＲＳリソース設定に適用可能である。
【００３７】
本出願の別の実施形態において、複数の上りリンク測定参照信号リソースに対して、ネットワークデバイスは、各上りリンク測定参照信号リソースについて、別個の目標値及び別個の調整値を設定し、共有経路損失情報を設定することができる、換言すれば、ネットワークデバイスは、別個の目標値及び別個の調整値を設定し、経路損失情報を共有する。
【００３８】
例えば、図３に示されているように、ネットワークデバイスは、目標値
【数７】
2020505857.tif 000009
及び調整値
【数８】
2020505857.tif 000010
を含む、各ＳＲＳリソースについての上りリンク測定参照信号の電力指示情報を決定する。
【００３９】
ネットワークデバイスは、ＲＲＣシグナリング又はＭＡＣ  ＣＥシグナリングを通じて、目標値
【数９】
2020505857.tif 000011
を設定する。この情報は、通常、ＳＲＳリソース設定シグナリングと結び付けられる。
【００４０】
ネットワークデバイスは、物理層シグナリングを通じて、調整値
【数１０】
2020505857.tif 000012
を設定する。典型的には、物理層シグナリングの上りリンク電力制御領域は、各ＳＲＳリソースについての電力制御調整値をそれぞれ示す複数のＳＲＳリソース電力制御調整値を含む。電力調整値は、累積方式で示されることもあるし、又は、直接方式で示されることもある。
【００４１】
ネットワークデバイスが、各ＳＲＳリソースについての上りリンク測定参照信号の電力指示情報を決定することは、さらに、ネットワークデバイスが、全てのＳＲＳリソースについての１つの共通経路損失情報ＰＬを決定することを含む。
【００４２】
経路損失情報は、経路損失値、又は、経路損失値が計算されるときに使用される対応する下りリンク測定参照信号リソース（例えば、下りリンク測定参照信号リソースのインデックスｍ）を示すために使用され得る。経路損失計算中に参照される下りリンク測定参照リソースは、１つの下りリンク測定参照リソース又は複数の下りリンク測定参照リソースであってよい。後者について、端末が、経路損失値が計算されるときに使用される対応する下りリンク測定参照信号リソースを知っているとき、端末は、下りリンク測定参照信号リソースを使用することによって計算された記憶されている経路損失値又はＲＳＲＰ値を直接読み出すことができる。端末が、ＲＳＲＰ値のみを読み出すことができる場合、端末は、さらに、ＰＬ＝Ｐｔｘ−ＲＳＲＰに基づいて、経路損失値を計算する。経路損失計算中に参照される下りリンク測定参照リソースが複数の下りリンク測定参照リソースである場合、端末は、複数の下りリンク測定参照リソースに基づいて計算された経路損失値の平均値をとる、又は、複数の下りリンク測定参照リソースに基づいて計算された経路損失値から最小値をとる、又は、複数の下りリンク測定参照リソースに基づいて計算された経路損失値から最大値をとる。
【００４３】
本出願のこの実施形態は、経路損失情報伝送及びシグナリングオーバーヘッドが低減されるように、同じアナログビーム及び異なるデジタルビームを使用する異なるＳＲＳリソースに適用可能である。
【００４４】
本出願の別の実施形態において、複数の上りリンク測定参照信号リソースに対して、ネットワークデバイスは、各上りリンク測定参照信号リソースについて、別個の目標値を設定し、共有調整値及び共有経路損失情報を設定することができる、換言すれば、ネットワークデバイスは、別個の目標値を設定し、調整値及び経路損失情報を共有する。
【００４５】
例えば、図４に示されているように、ネットワークデバイスは、各ＳＲＳリソースについての上りリンク測定参照信号の電力指示情報を決定し、電力指示情報は、目標値
【数１１】
2020505857.tif 000013
を含む。ネットワークデバイスは、ＲＲＣシグナリング又はＭＡＣ  ＣＥシグナリングを通じて、目標値
【数１２】
2020505857.tif 000014
を設定する。この情報は、通常、ＳＲＳリソース設定シグナリングと結び付けられる。
【００４６】
ネットワークデバイスが、各ＳＲＳリソースについての上りリンク測定参照信号の電力指示情報を決定することは、さらに、ネットワークデバイスが、全てのＳＲＳリソースについての共通調整値
【数１３】
2020505857.tif 000015
及び共通経路損失情報ＰＬを決定することを含む。
【００４７】
ネットワークデバイスは、物理層シグナリングを通じて、調整値
【数１４】
2020505857.tif 000016
を設定する。典型的には、物理層シグナリングの上りリンク電力制御領域において、１フィールドが、１ユーザに対応する。フィールドにおける電力調整値は、ユーザの全てのＳＲＳリソースに適用可能である。電力調整値は、累積方式で示されることもあるし、又は、直接方式で示されることもある。
【００４８】
経路損失情報は、経路損失値、又は、経路損失値が計算されるときに使用される対応する下りリンク測定参照信号リソース（例えば、下りリンク測定参照信号リソースのインデックスｍ）を示すために使用され得る。経路損失計算中に参照される下りリンク測定参照リソースは、１つの下りリンク測定参照リソース又は複数の下りリンク測定参照リソースであってよい。後者について、端末が、経路損失値が計算されるときに使用される対応する下りリンク測定参照信号リソースを知っているとき、端末は、下りリンク測定参照信号リソースを使用することによって計算された記憶されている経路損失値又はＲＳＲＰ値を直接読み出すことができる。端末が、ＲＳＲＰ値のみを読み出すことができる場合、端末は、さらに、ＰＬ＝Ｐｔｘ−ＲＳＲＰに基づいて、経路損失値を計算する。経路損失計算中に参照される下りリンク測定参照リソースが複数の下りリンク測定参照リソースである場合、端末は、複数の下りリンク測定参照リソースに基づいて計算された経路損失値の平均値をとる、又は、複数の下りリンク測定参照リソースに基づいて計算された経路損失値から最小値をとる、又は、複数の下りリンク測定参照リソースに基づいて計算された経路損失値から最大値をとる。
【００４９】
本出願のこの実施形態は、同じアナログビーム、及び、類似するビーム形状を有する異なるデジタルビームを使用する異なるＳＲＳリソースに適用可能である。複数のＳＲＳプロセスは、上りリンク電力制御コンバージェンスを加速するために、調整値を共有し、経路損失情報伝送及びシグナリングオーバーヘッドを低減するために、経路損失情報を共有する。
【００５０】
本出願の別の実施形態において、複数の上りリンク測定参照信号リソースに対して、ネットワークデバイスは、各上りリンク測定参照信号リソースについて、別個の目標値及び別個の経路損失情報を設定し、共有調整値を設定することができる、換言すれば、ネットワークデバイスは、別個の目標値及び別個の経路損失情報を設定し、調整値を共有する。
【００５１】
例えば、図５に示されているように、ネットワークデバイスは、各ＳＲＳリソースについての上りリンク測定参照信号の電力指示情報を決定し、上りリンク測定参照信号の電力指示情報は、目標値
【数１５】
2020505857.tif 000017
及び経路損失情報
【数１６】
2020505857.tif 000018
を含む。
【００５２】
ネットワークデバイスは、ＲＲＣシグナリング又はＭＡＣ  ＣＥシグナリングを通じて、目標値
【数１７】
2020505857.tif 000019
及び経路損失情報
【数１８】
2020505857.tif 000020
を設定する。この情報は、通常、ＳＲＳリソース設定シグナリングと結び付けられる。経路損失情報は、経路損失値、又は、経路損失値が計算されるときに使用される対応する下りリンク測定参照信号リソース（例えば、下りリンク測定参照信号リソースのインデックスｍ）を示すために使用され得る。経路損失計算中に参照される下りリンク測定参照リソースは、１つの下りリンク測定参照リソース又は複数の下りリンク測定参照リソースであってよい。後者について、端末が、経路損失値が計算されるときに使用される対応する下りリンク測定参照信号リソースを知っているとき、端末は、下りリンク測定参照信号リソースを使用することによって計算された記憶されている経路損失値又はＲＳＲＰ値を直接読み出すことができる。端末が、ＲＳＲＰ値のみを読み出すことができる場合、端末は、さらに、ＰＬ＝Ｐｔｘ−ＲＳＲＰに基づいて、経路損失値を計算する。経路損失計算中に参照される下りリンク測定参照リソースが複数の下りリンク測定参照リソースである場合、端末は、複数の下りリンク測定参照リソースに基づいて計算された経路損失値の平均値をとる、又は、複数の下りリンク測定参照リソースに基づいて計算された経路損失値から最小値をとる、又は、複数の下りリンク測定参照リソースに基づいて計算された経路損失値から最大値をとる。
【００５３】
ネットワークデバイスが、各ＳＲＳリソースについての上りリンク測定参照信号の電力指示情報を決定することは、さらに、ネットワークデバイスが、全てのＳＲＳリソースについての共通調整値
【数１９】
2020505857.tif 000021
を決定することを含む。
【００５４】
ネットワークデバイスは、物理層シグナリングを通じて、調整値
【数２０】
2020505857.tif 000022
を設定する。典型的には、物理層シグナリングの上りリンク電力制御領域において、１フィールドが、１ユーザに対応する。フィールドにおける電力調整値は、ユーザの全てのＳＲＳリソースに適用可能である。電力調整値は、累積方式で示されることもあるし、又は、直接方式で示されることもある。
【００５５】
本出願のこの実施形態は、例えば、異なるＳＲＳリソースが、類似するビーム形状を有する異なるアナログビーム及びデジタルビームを使用するといった、上りリンクビーム形状が類似するシナリオに適用可能である。複数のＳＲＳプロセスは、上りリンク電力制御コンバージェンスを加速するために、調整値を共有する。
【００５６】
本出願の別の実施形態において、複数の上りリンク測定参照信号リソースに対して、ネットワークデバイスは、共有目標値を設定し、各上りリンク測定参照信号リソースについて、別個の調整値及び別個の経路損失情報を設定することができる、換言すれば、ネットワークデバイスは、目標値を共有し、別個の調整値及び別個の経路損失情報を設定する。
【００５７】
例えば、図６に示されているように、ネットワークデバイスが、各ＳＲＳリソースについての上りリンク測定参照信号の電力指示情報を決定することは、さらに、ネットワークデバイスが、全てのＳＲＳリソースについての共通目標値
【数２１】
2020505857.tif 000023
を決定することを含む。
【００５８】
ネットワークデバイスは、ＲＲＣシグナリング又はＭＡＣ  ＣＥシグナリングを通じて、目標値
【数２２】
2020505857.tif 000024
を設定する。この情報は、通常、ＳＲＳリソース設定シグナリングと結び付けられる。
【００５９】
ネットワークデバイスは、各ＳＲＳリソースについての上りリンク測定参照信号の電力指示情報を決定し、上りリンク測定参照信号の電力指示情報は、調整値
【数２３】
2020505857.tif 000025
及び経路損失情報
【数２４】
2020505857.tif 000026
を含む。
【００６０】
ネットワークデバイスは、物理層シグナリングを通じて、調整値
【数２５】
2020505857.tif 000027
を設定する。典型的には、物理層シグナリングの上りリンク電力制御領域は、各ＳＲＳリソースについての電力制御調整値をそれぞれ示す複数のＳＲＳリソース電力制御調整値を含む。電力調整値は、累積方式で示されることもあるし、又は、直接方式で示されることもある。
【００６１】
ネットワークデバイスは、ＲＲＣシグナリング又はＭＡＣ  ＣＥシグナリングを通じて、経路損失情報
【数２６】
2020505857.tif 000028
を設定する。この情報は、通常、ＳＲＳリソース設定シグナリングと結び付けられる。
【００６２】
経路損失情報は、経路損失値、又は、経路損失値が計算されるときに使用される対応する下りリンク測定参照信号リソース（例えば、下りリンク測定参照信号リソースのインデックスｍ）を示すために使用され得る。経路損失計算中に参照される下りリンク測定参照リソースは、１つの下りリンク測定参照リソース又は複数の下りリンク測定参照リソースであってよい。後者について、端末が、経路損失値が計算されるときに使用される対応する下りリンク測定参照信号リソースを知っているとき、端末は、下りリンク測定参照信号リソースを使用することによって計算された記憶されている経路損失値又はＲＳＲＰ値を直接読み出すことができる。端末が、ＲＳＲＰ値のみを読み出すことができる場合、端末は、さらに、ＰＬ＝Ｐｔｘ−ＲＳＲＰに基づいて、経路損失値を計算する。経路損失計算中に参照される下りリンク測定参照リソースが複数の下りリンク測定参照リソースである場合、端末は、複数の下りリンク測定参照リソースに基づいて計算された経路損失値の平均値をとる、又は、複数の下りリンク測定参照リソースに基づいて計算された経路損失値から最小値をとる、又は、複数の下りリンク測定参照リソースに基づいて計算された経路損失値から最大値をとる。
【００６３】
本出願のこの実施形態は、各ＳＲＳリソースの上りリンク電力が正確に制御され、目標電力が、シグナリングオーバーヘッドを低減するために共有されるように、例えば、異なるＳＲＳリソースが、異なるアナログビーム及びデジタルビームを使用するといった、任意のＳＲＳリソース設定に適用可能である。
【００６４】
本出願の別の実施形態において、複数の上りリンク測定参照信号リソースに対して、ネットワークデバイスは、共有目標値及び経路損失情報を設定し、各上りリンク測定参照信号リソースについて、別個の調整値を設定することができる、換言すれば、ネットワークデバイスは、目標値及び経路損失情報を共有し、別個の調整値を設定する。
【００６５】
例えば、図７に示されているように、ネットワークデバイスが、各ＳＲＳリソースについての上りリンク測定参照信号の電力指示情報を決定することは、さらに、ネットワークデバイスが、全てのＳＲＳリソースについての共通目標値
【数２７】
2020505857.tif 000029
及び経路損失情報
【数２８】
2020505857.tif 000030
を決定することを含む。
【００６６】
ネットワークデバイスは、ＲＲＣシグナリング又はＭＡＣ  ＣＥシグナリングを通じて、目標値
【数２９】
2020505857.tif 000031
及び経路損失情報
【数３０】
2020505857.tif 000032
を設定する。
【００６７】
経路損失情報は、経路損失値、又は、経路損失値が計算されるときに使用される対応する下りリンク測定参照信号リソース（例えば、下りリンク測定参照信号リソースのインデックスｍ）を示すために使用され得る。経路損失計算中に参照される下りリンク測定参照リソースは、１つの下りリンク測定参照リソース又は複数の下りリンク測定参照リソースであってよい。後者について、端末が、経路損失値が計算されるときに使用される対応する下りリンク測定参照信号リソースを知っているとき、端末は、下りリンク測定参照信号リソースを使用することによって計算された記憶されている経路損失値又はＲＳＲＰ値を直接読み出すことができる。端末が、ＲＳＲＰ値のみを読み出すことができる場合、端末は、さらに、ＰＬ＝Ｐｔｘ−ＲＳＲＰに基づいて、経路損失値を計算する。経路損失計算中に参照される下りリンク測定参照リソースが複数の下りリンク測定参照リソースである場合、端末は、複数の下りリンク測定参照リソースに基づいて計算された経路損失値の平均値をとる、又は、複数の下りリンク測定参照リソースに基づいて計算された経路損失値から最小値をとる、又は、複数の下りリンク測定参照リソースに基づいて計算された経路損失値から最大値をとる。
【００６８】
ネットワークデバイスは、各ＳＲＳリソースについての上りリンク測定参照信号の電力指示情報を決定し、上りリンク測定参照信号の電力指示情報は、調整値
【数３１】
2020505857.tif 000033
を含む。
【００６９】
ネットワークデバイスは、物理層シグナリングを通じて、調整値
【数３２】
2020505857.tif 000034
を設定する。典型的には、物理層シグナリングの上りリンク電力制御領域は、各ＳＲＳリソースについての電力制御調整値をそれぞれ示す複数のＳＲＳリソース電力制御調整値を含む。電力調整値は、累積方式で示されることもあるし、又は、直接方式で示されることもある。加えて、別個の電力制御オフセット集合が、各ＳＲＳプロセスについて設定される。狭ビームについて、電力制御オフセット集合における各要素は、比較的大きな値を有する。広ビームについて、電力制御オフセット集合における各要素は、比較的小さな値を有する。
【００７０】
本出願のこの実施形態は、同じアナログビーム、及び、異なるビーム形状を有する異なるデジタルビームを使用する異なるＳＲＳリソースに適用可能である。目標電力及び経路損失情報が、シグナリングオーバーヘッドを低減するために共有される。電力が正確に制御されるように、独立した電力調整値は、任意のビーム形状に適応する。
【００７１】
本出願の別の実施形態において、複数の上りリンク測定参照信号リソースに対して、ネットワークデバイスは、共有目標値、共有調整値、及び共有経路損失情報を設定することができる。
【００７２】
本出願の別の実施形態において、複数の上りリンク測定参照信号リソースに対して、ネットワークデバイスは、共有目標値及び共有調整値を設定し、各上りリンク測定参照信号リソースについて、別個の経路損失情報を設定することができる、換言すれば、ネットワークデバイスは、目標値及び調整値を共有し、別個の経路損失情報を設定する。
【００７３】
例えば、図８に示されているように、ネットワークデバイスは、各ＳＲＳリソースについての上りリンク測定参照信号の電力指示情報を決定し、上りリンク測定参照信号の電力指示情報は、経路損失情報ＰＬを含む。ネットワークデバイスは、ＲＲＣシグナリング又はＭＡＣ  ＣＥシグナリングを通じて、経路損失情報ＰＬを設定する。この情報は、通常、ＳＲＳリソース設定シグナリングと結び付けられる。
【００７４】
経路損失情報は、経路損失値、又は、経路損失値が計算されるときに使用される対応する下りリンク測定参照信号リソース（例えば、下りリンク測定参照信号リソースのインデックスｍ）を示すために使用され得る。経路損失計算中に参照される下りリンク測定参照リソースは、１つの下りリンク測定参照リソース又は複数の下りリンク測定参照リソースであってよい。後者について、端末が、経路損失値が計算されるときに使用される対応する下りリンク測定参照信号リソースを知っているとき、端末は、下りリンク測定参照信号リソースを使用することによって計算された記憶されている経路損失値又はＲＳＲＰ値を直接読み出すことができる。端末が、ＲＳＲＰ値のみを読み出すことができる場合、端末は、さらに、ＰＬ＝Ｐｔｘ−ＲＳＲＰに基づいて、経路損失値を計算する。経路損失計算中に参照される下りリンク測定参照リソースが複数の下りリンク測定参照リソースである場合、端末は、複数の下りリンク測定参照リソースに基づいて計算された経路損失値の平均値をとる、又は、複数の下りリンク測定参照リソースに基づいて計算された経路損失値から最小値をとる、又は、複数の下りリンク測定参照リソースに基づいて計算された経路損失値から最大値をとる。
【００７５】
ネットワークデバイスが、各ＳＲＳリソースについての上りリンク測定参照信号の電力指示情報を決定することは、さらに、ネットワークデバイスが、全てのＳＲＳリソースについての共通調整値
【数３３】
2020505857.tif 000035
及び共通目標値
【数３４】
2020505857.tif 000036
を決定することを含む。
【００７６】
ネットワークデバイスは、ＲＲＣシグナリング又はＭＡＣ  ＣＥシグナリングを通じて、目標値
【数３５】
2020505857.tif 000037
を設定する。
【００７７】
ネットワークデバイスは、物理層シグナリングを通じて、調整値
【数３６】
2020505857.tif 000038
を設定する。典型的には、物理層シグナリングの上りリンク電力制御領域において、１フィールドが、１ユーザに対応する。フィールドにおける電力調整値は、ユーザの全てのＳＲＳリソースに適用可能である。電力調整値は、累積方式で示されることもあるし、又は、直接方式で示されることもある。
【００７８】
本出願のこの実施形態は、異なるＳＲＳが、類似するビーム形状を有する異なるアナログビームを使用することに適用可能である。上りリンク参照信号の目標電力及び調整値が、シグナリングオーバーヘッドを低減するために共有される。
【００７９】
このように、電力指示情報は、データ電力指示情報とは独立しており、パラメータの全部又は一部は、上りリンクＩｏＴが、安定した範囲内で維持され、チャネル受信効率が増大されるように、ＳＲＳの各集合の上りリンク電力を正確に制御するために、ＳＲＳリソースの各集合について別個に設定される。
【００８０】
ステップＳ１０２において、ネットワークデバイスは、電力制御情報を端末デバイスに送信する。
【００８１】
ステップＳ１０３において、端末デバイスは、電力指示情報を受信する。
【００８２】
電力指示情報は、送信電力調整値、送信電力調整値、及び経路損失情報のうちの少なくとも１つを含む。
【００８３】
実際の適用において、この方法は、以下のステップをさらに含む。
【００８４】
端末デバイスは、複数の下りリンク測定参照リソースの各々の経路損失値を計算する。
【００８５】
端末デバイスは、複数の経路損失値の平均値、複数の経路損失値の最小経路損失値、又は複数の経路損失値の最大経路損失値が、経路損失値であるということを決定する。
【００８６】
ステップＳ１０４において、端末デバイスは、電力制御情報に基づいて、上りリンク測定参照信号をネットワークデバイスに送信する。
【００８７】
端末デバイスは、電力制御情報に基づいて、サウンディング参照信号をネットワークデバイスに送信する。サウンディング参照信号の送信電力は、以下の式に従って設定される：
【数３７】
2020505857.tif 000039
ここで、
【数３８】
2020505857.tif 000040
は、端末の最大送信電力であり、
【数３９】
2020505857.tif 000041
は、ＳＲＳをスケジューリングするための帯域幅であり、
【数４０】
2020505857.tif 000042
は、経路損失パラメータであり、
【数４１】
2020505857.tif 000043
、
【数４２】
2020505857.tif 000044
、及び
【数４３】
2020505857.tif 000045
は、ＬＴＥ設定方式で得られることもあるし、又は、実際の適用においては別の方式で得られることもある。
【数４４】
2020505857.tif 000046
は、経路損失値であり、
【数４５】
2020505857.tif 000047
は、調整値であり、
【数４６】
2020505857.tif 000048
は、目標値である。
【００８８】
電力指示情報に基づいて端末デバイスにより得られる、複数の送信電力目標値、複数の送信電力調整値、及び複数の経路損失情報が、複数の上りリンク測定参照信号リソースに対応する；又は、
電力指示情報に基づいて端末デバイスにより得られる、複数の目標値及び複数の調整値が、複数の上りリンク測定参照信号リソースに対応し、電力指示情報に基づいて端末デバイスにより得られる１つの経路損失情報が、複数の上りリンク測定参照信号リソースに対応する；又は、
電力指示情報に基づいて端末デバイスにより得られる複数の目標値が、複数の上りリンク測定参照信号リソースに対応し、電力指示情報に基づいて端末デバイスにより得られる、１つの調整値及び１つの経路損失情報が、複数の上りリンク測定参照信号リソースに対応する；又は、
電力指示情報に基づいて端末デバイスにより得られる、複数の目標値及び複数の経路損失情報が、複数の上りリンク測定参照信号リソースに対応し、電力指示情報に基づいて端末デバイスにより得られる１つの調整値が、複数の上りリンク測定参照信号リソースに対応する；又は、
電力指示情報に基づいて端末デバイスにより得られる１つの目標値が、複数の上りリンク測定参照信号リソースに対応し、電力指示情報に基づいて端末デバイスにより得られる、複数の調整値及び複数の経路損失情報が、複数の上りリンク測定参照信号リソースに対応する；又は、
電力指示情報に基づいて端末デバイスにより得られる、１つの目標値及び１つの経路損失情報が、複数の上りリンク測定参照信号リソースに対応し、電力指示情報に基づいて端末デバイスにより得られる複数の調整値が、複数の上りリンク測定参照信号リソースに対応する；又は、
電力指示情報に基づいて端末デバイスにより得られる、１つの目標値、１つの調整値、及び１つの経路損失情報が、複数の上りリンク測定参照信号リソースに対応する；又は、
電力指示情報に基づいて端末デバイスにより得られる、１つの目標値及び１つの調整値が、複数の上りリンク測定参照信号リソースに対応し、電力指示情報に基づいて端末デバイスにより得られる複数の経路損失情報が、複数の上りリンク測定参照信号リソースに対応する。
【００８９】
任意的に、前述の実施形態とは異なり、図９に示されているように、本出願の別の実施形態において、方法は、以下のステップを含む。
【００９０】
ステップＳ２０１において、ネットワークデバイスは、上りリンク測定参照信号の電力指示情報を生成し、ネットワークデバイスは、電力指示情報に対応する形成情報を生成し、ここで、形成情報は、次のもの、すなわち、下りリンク測定参照リソースのインデックス、コードブックインデックス値、及び量子化チャネル情報のうちの少なくとも１つを含む。
【００９１】
ステップＳ２０２において、ネットワークデバイスは、電力制御情報及び形成情報を端末デバイスに送信する。
【００９２】
ステップＳ２０３において、端末デバイスは、電力制御情報及び形成情報を受信し、ここで、形成情報は、電力指示情報に対応し、形成情報は、下りリンク測定参照リソースのインデックス、コードブックインデックス値、又は量子化チャネル情報を含む。
【００９３】
ステップＳ２０４において、端末デバイスは、電力制御情報及び形成情報に基づいて、上りリンク測定参照信号をネットワークデバイスに送信する。
【００９４】
本出願の実施形態において提供される方法に従うと、ネットワークデバイスは、電力指示情報を生成し、電力指示情報は、前述の３つのタイプの情報のうちの少なくとも１つを含み、端末デバイスに示され、その結果、端末デバイスは、電力指示情報に基づいて、サウンディング参照信号をネットワークデバイスに送信し、ネットワークデバイスは、端末デバイスがサウンディング参照信号を送信するときに使用される送信電力を正確に制御する。
【００９５】
図１０に示されているように、本出願の別の実施形態において、
上りリンク測定参照信号の電力指示情報を生成するよう構成されている処理モジュール１１であって、電力指示情報は、送信電力目標値、送信電力調整値、及び経路損失情報のうちの少なくとも１つを含む、処理モジュール１１と、
電力制御情報を端末デバイスに送信するよう構成されている送信モジュール１２と、
を含むネットワークデバイスが提供される。
【００９６】
本出願の別の実施形態において、経路損失情報は、次のもの、すなわち、経路損失値、参照信号受信電力ＲＳＲＰ値、及び、経路損失計算中に参照される少なくとも１つの下りリンク測定参照リソースのうちの少なくとも１つを含む。
【００９７】
本出願の別の実施形態において、複数の上りリンク測定参照信号リソースに対して、処理モジュールは、以下の処理、すなわち、
各上りリンク測定参照信号リソースについて、別個の送信電力調整値、別個の送信電力調整値、及び別個の経路損失情報を設定すること；
各上りリンク測定参照信号リソースについて、別個の目標値及び別個の調整値を設定し、共有経路損失情報を設定すること；
各上りリンク測定参照信号リソースについて、別個の目標値を設定し、共有調整値及び共有経路損失情報を設定すること；
各上りリンク測定参照信号リソースについて、別個の目標値及び別個の経路損失情報を設定し、共有調整値を設定すること；
共有目標値を設定し、各上りリンク測定参照信号リソースについて、別個の調整値及び別個の経路損失情報を設定すること；
共有目標値及び共有経路損失情報を設定し、各上りリンク測定参照信号リソースについて、別個の調整値を設定すること；
共有目標値、共有調整値、及び共有経路損失情報を設定すること；又は
共有目標値及び共有調整値を設定し、各上りリンク測定参照信号リソースについて、別個の経路損失情報を設定すること
のいずれかを実行するようさらに構成されている。
【００９８】
本出願の別の実施形態において、ネットワークデバイスにおいて、
処理モジュールは、電力指示情報に対応する形成情報を生成するようさらに構成されており、形成情報は、次のもの、すなわち、下りリンク測定参照リソースのインデックス、コードブックインデックス値、及び量子化チャネル情報のうちの少なくとも１つを含み、
送信モジュールは、形成情報を端末デバイスに送信するようさらに構成されている。
【００９９】
図１１に示されているように、本出願の別の実施形態において、
電力指示情報を受信するよう構成されている受信モジュールであって、電力指示情報は、上りリンク測定参照信号の送信電力目標値、送信電力調整値、及び経路損失情報のうちの少なくとも１つを含む、受信モジュールと、
電力制御情報に基づいて、上りリンク測定参照信号を生成するよう構成されている処理モジュールと、
上りリンク測定参照信号をネットワークデバイスに送信するよう構成されている送信モジュールと、
を含む端末デバイスが提供される。
【０１００】
本出願の別の実施形態において、経路損失情報は、次のもの、すなわち、経路損失値、参照信号受信電力ＲＳＲＰ値、及び、経路損失計算中に参照される少なくとも１つの下りリンク測定参照リソースのうちの少なくとも１つを含む。
【０１０１】
本出願の別の実施形態において、端末デバイスにおいて、
処理モジュールは、複数の下りリンク測定参照リソースの各々の経路損失値を計算するようさらに構成されており、
処理モジュールは、複数の経路損失値の平均値、複数の経路損失値の最小経路損失値、又は複数の経路損失値の最大経路損失値が、経路損失値であるということを決定するようさらに構成されている。
【０１０２】
本出願の別の実施形態において、電力指示情報に基づいて処理モジュールにより得られる、複数の送信電力目標値、複数の送信電力調整値、及び複数の経路損失情報が、複数の上りリンク測定参照信号リソースに対応する；又は、
電力指示情報に基づいて処理モジュールにより得られる、複数の目標値及び複数の調整値が、複数の上りリンク測定参照信号リソースに対応し、電力指示情報に基づいて処理モジュールにより得られる１つの経路損失情報が、複数の上りリンク測定参照信号リソースに対応する；又は、
電力指示情報に基づいて処理モジュールにより得られる複数の目標値が、複数の上りリンク測定参照信号リソースに対応し、電力指示情報に基づいて処理モジュールにより得られる、１つの調整値及び１つの経路損失情報が、複数の上りリンク測定参照信号リソースに対応する；又は、
電力指示情報に基づいて処理モジュールにより得られる、複数の目標値及び複数の経路損失情報が、複数の上りリンク測定参照信号リソースに対応し、電力指示情報に基づいて処理モジュールにより得られる１つの調整値が、複数の上りリンク測定参照信号リソースに対応する；又は、
電力指示情報に基づいて処理モジュールにより得られる１つの目標値が、複数の上りリンク測定参照信号リソースに対応し、電力指示情報に基づいて処理モジュールにより得られる、複数の調整値及び複数の経路損失情報が、複数の上りリンク測定参照信号リソースに対応する；又は、
電力指示情報に基づいて処理モジュールにより得られる、１つの目標値及び１つの経路損失情報が、複数の上りリンク測定参照信号リソースに対応し、電力指示情報に基づいて処理モジュールにより得られる複数の調整値が、複数の上りリンク測定参照信号リソースに対応する；又は、
電力指示情報に基づいて処理モジュールにより得られる、１つの目標値、１つの調整値、及び１つの経路損失情報が、複数の上りリンク測定参照信号リソースに対応する；又は、
電力指示情報に基づいて処理モジュールにより得られる、１つの目標値及び１つの調整値が、複数の上りリンク測定参照信号リソースに対応し、電力指示情報に基づいて処理モジュールにより得られる複数の経路損失情報が、複数の上りリンク測定参照信号リソースに対応する。
【０１０３】
本出願の別の実施形態において、端末デバイスにおいて、
受信モジュールは、ネットワークデバイスから形成情報を受信するようさらに構成されており、形成情報は、電力指示情報に対応し、形成情報は、下りリンク測定参照リソースのインデックス、コードブックインデックス値、又は量子化チャネル情報を含み、
処理モジュールは、電力制御情報及び形成情報に基づいて、上りリンク測定参照信号を生成するようさらに構成されており、
送信モジュールは、上りリンク測定参照信号をネットワークデバイスに送信するようさらに構成されている。
【０１０４】
本出願の実施形態は、ネットワークデバイス１２００をさらに提供する。図１２に示されているように、ネットワークデバイス１２００は、メモリ１２０１、プロセッサ１２０２、及び通信インタフェース１２０３を含む。メモリ１２０１は、コード又はプログラムを記憶するよう構成されている。プロセッサ１２０２は、図１及び図９に示されている、ネットワークデバイスにより実行される方法のうちの任意の１つを実行するためのコード又はプログラムを呼び出すよう構成されている。通信インタフェース１２０３は、別のデバイスと通信するよう構成されている。
【０１０５】
メモリ１２０１、プロセッサ１２０２、及び通信インタフェース１２０３は、バスシステム１２０４を使用することによって、共に結合される、又は、別の方式で接続されてもよい。メモリ１２０１は、ランダムアクセスメモリを含むこともあるし、又は、少なくとも１つの磁気ディスクストレージ等の不揮発性メモリを含むこともある。バスシステム１２０４は、業界標準アーキテクチャ（英語：Industry  Standard  Architecture、略してＩＳＡ）バス、周辺コンポーネント相互接続（英語：Peripheral  Component、略してＰＣＩ）バス、拡張業界標準アーキテクチャ（英語；Extended  Industry  Standard  Architecture、略してＥＩＳＡ）バス、又は同様のものであってよい。バスシステム１２０４は、アドレスバス、データバス、制御バス、及び同様のものに分類され得る。表現しやすくするために、１つの太線のみが、図１２においてバスを表現するために使用されているが、これは、１つのバス又は１つのタイプのバスしか存在しないことを意味するものではない。
【０１０６】
実施態様において、図１０における受信モジュール及び送信モジュールは、通信インタフェース１２０３に統合されてもよく、残りのモジュールは、プロセッサ１２０２に統合されてもよい。残りのモジュールは、ハードウェア形態で、ネットワークデバイスのプロセッサに組み込まれてもよいし、又は、ネットワークデバイスのプロセッサとは独立してもよく、又は、プロセッサが前述のモジュールに対応する動作を実行するためのコード又はプログラムを呼び出すように、ソフトウェア形態で、ネットワークデバイスのメモリに記憶されてもよい。プロセッサは、中央処理装置（英語：central  processing  unit、略してＣＰＵ）、特定用途向け集積回路（英語：application  specific  integrated  circuit、略してＡＳＩＣ）であってもよいし、又は、本出願の実施形態を実現するための１つ以上の集積回路に構成される。
【０１０７】
本出願のこの実施形態において提供されるネットワークデバイス１２００における各コンポーネントは、前述の方法を実行するよう構成されている。したがって、ネットワークデバイス１２００の有益な効果については、前述の方法の有益な効果を参照されたい。詳細は、ここでは再度説明されない。
【０１０８】
本出願の実施形態は、端末デバイス１３００をさらに提供する。図１３に示されているように、端末デバイス１３００は、メモリ１３０１、プロセッサ１３０２、及び通信インタフェース１３０３を含む。メモリ１３０１は、コード又はプログラムを記憶するよう構成されている。プロセッサ１３０２は、図１及び図９に示されている、端末デバイスにより実行される方法のうちの任意の１つを実行するためのコード又はプログラムを呼び出すよう構成されている。通信インタフェース１３０３は、別のデバイスと通信するよう構成されている。
【０１０９】
メモリ１３０１、プロセッサ１３０２、及び通信インタフェース１３０３は、バスシステム１３０４を使用することによって、共に結合される、又は、別の方式で接続されてもよい。メモリ１３０１は、ランダムアクセスメモリを含むこともあるし、又は、少なくとも１つの磁気ディスクストレージ等の不揮発性メモリを含むこともある。バスシステム１３０４は、業界標準アーキテクチャ（英語：Industry  Standard  Architecture、略してＩＳＡ）バス、周辺コンポーネント相互接続（英語：Peripheral  Component、略してＰＣＩ）バス、拡張業界標準アーキテクチャ（英語；Extended  Industry  Standard  Architecture、略してＥＩＳＡ）バス、又は同様のものであってよい。バスシステム１３０４は、アドレスバス、データバス、制御バス、及び同様のものに分類され得る。表現しやすくするために、１つの太線のみが、図１３においてバスを表現するために使用されているが、これは、１つのバス又は１つのタイプのバスしか存在しないことを意味するものではない。
【０１１０】
実施態様において、図１１における受信モジュール及び送信モジュールは、通信インタフェース１３０３に統合されてもよく、残りのモジュールは、プロセッサ１３０２に統合されてもよい。残りのモジュールは、ハードウェア形態で、ネットワークデバイスのプロセッサに組み込まれてもよいし、又は、ネットワークデバイスのプロセッサとは独立してもよく、又は、プロセッサが前述のモジュールに対応する動作を実行するためのコード又はプログラムを呼び出すように、ソフトウェア形態で、ネットワークデバイスのメモリに記憶されてもよい。プロセッサは、中央処理装置（英語：central  processing  unit、略してＣＰＵ）、特定用途向け集積回路（英語：application  specific  integrated  circuit、略してＡＳＩＣ）であってもよいし、又は、本出願の実施形態を実現するための１つ以上の集積回路に構成される。
【０１１１】
本出願のこの実施形態において提供される端末デバイス１３００における各コンポーネントは、前述の方法を実行するよう構成されている。したがって、端末デバイス１３００の有益な効果については、前述の方法の有益な効果を参照されたい。詳細は、ここでは再度説明されない。
【０１１２】
特定の実施態様中、本出願は、コンピュータ記憶媒体をさらに提供する。コンピュータ記憶媒体は、プログラムを記憶することができ、プログラムが実行されたとき、本出願において提供されるサウンディング参照信号電力制御方法の実施形態のステップの一部又は全部が実行されてよい。記憶媒体は、磁気ディスク、光ディスク、読み取り専用メモリ（read-only  memory、略してＲＯＭ）、ランダムアクセスメモリ（random  access  memory、略してＲＡＭ）、又は同様のものであってよい。
【０１１３】
本明細書における実施形態における同一の又は類似する部分については、これらの実施形態を参照されたい。特に、無線通信デバイスの実施形態は、方法の実施形態に基本的に類似し、したがって、簡単に説明される。関連する部分については、方法の実施形態における説明を参照されたい。
【０１１４】
前述の説明は、本出願の実施態様であるが、本出願の保護範囲を限定するようには意図されていない。
【図１】
2020505857.tif 000049
【図２】
2020505857.tif 000050
【図３】
2020505857.tif 000051
【図４】
2020505857.tif 000052
【図５】
2020505857.tif 000053
【図６】
2020505857.tif 000054
【図７】
2020505857.tif 000055
【図８】
2020505857.tif 000056
【図９】
2020505857.tif 000057
【図１０】
2020505857.tif 000058
【図１１】
2020505857.tif 000059
【図１２】
2020505857.tif 000060
【図１３】
2020505857.tif 000061
【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
上りリンク測定参照信号の電力制御情報を生成することであって、前記電力制御情報は、送信電力目標値、送信電力調整値、及び経路損失情報のうちの少なくとも１つを含む、生成することと、
前記電力制御情報を端末デバイスに送信することと、
を含む上りリンク測定参照信号電力制御方法。
【請求項２】
前記経路損失情報は、経路損失値、参照信号受信電力（ＲＳＲＰ）値、及び、経路損失計算中に参照される少なくとも１つの下りリンク測定参照リソースのうちの少なくとも１つを含む、請求項１に記載の方法。
【請求項３】
前記方法は、
複数の上りリンク測定参照信号リソースの各々について、別個の電力制御情報を設定すること
をさらに含む、請求項１又は２に記載の方法。
【請求項４】
前記方法は、
前記電力制御情報に対応する形成情報を生成することであって、前記形成情報は、下りリンク測定参照リソースのインデックス、コードブックインデックス値、及び量子化チャネル情報のうちの少なくとも１つを含む、生成することと、
前記形成情報を前記端末デバイスに送信することと、
をさらに含む、請求項１乃至３のうちのいずれか一項に記載の方法。
【請求項５】
上りリンク測定参照信号の電力制御情報を受信することであって、前記電力制御情報は、送信電力目標値、送信電力調整値、及び経路損失情報のうちの少なくとも１つを含む、受信することと、
前記電力制御情報に基づいて、前記上りリンク測定参照信号をネットワークデバイスに送信することと、
を含む上りリンク測定参照信号電力制御方法。
【請求項６】
前記経路損失情報は、経路損失値、参照信号受信電力（ＲＳＲＰ）値、及び、経路損失計算中に参照される少なくとも１つの下りリンク測定参照リソースのうちの少なくとも１つを含む、請求項５に記載の方法。
【請求項７】
前記方法は、
複数の下りリンク測定参照リソースの各々の経路損失値を計算することと、
前記の複数の経路損失値の平均値、前記の複数の経路損失値の最小経路損失値、又は前記の複数の経路損失値の最大経路損失値が、経路損失値であるということを決定することと、
をさらに含む、請求項５又は６に記載の方法。
【請求項８】
前記方法は、
複数の上りリンク測定参照信号リソースの各々について、別個の電力制御情報を得ること
をさらに含む、請求項５乃至７のうちのいずれか一項に記載の方法。
【請求項９】
前記方法は、
前記ネットワークデバイスから形成情報を受信することであって、前記形成情報は、前記電力制御情報に対応し、前記形成情報は、下りリンク測定参照リソースのインデックス、コードブックインデックス値、又は量子化チャネル情報を含む、受信することと、
前記電力制御情報及び前記形成情報に基づいて、前記上りリンク測定参照信号を前記ネットワークデバイスに送信することと、
をさらに含む、請求項５乃至８のうちのいずれか一項に記載の方法。
【請求項１０】
上りリンク測定参照信号の電力制御情報を生成するよう構成されている処理モジュールであって、前記電力制御情報は、送信電力目標値、送信電力調整値、及び経路損失情報のうちの少なくとも１つを含む、処理モジュールと、
前記電力制御情報を端末デバイスに送信するよう構成されている送信モジュールと、
を有するネットワークデバイス。
【請求項１１】
前記経路損失情報は、経路損失値、参照信号受信電力（ＲＳＲＰ）値、及び、経路損失計算中に参照される少なくとも１つの下りリンク測定参照リソースのうちの少なくとも１つを含む、請求項１０に記載のネットワークデバイス。
【請求項１２】
前記処理モジュールは、複数の上りリンク測定参照信号リソースの各々について、別個の電力制御情報を設定するようさらに構成されている、請求項１０又は１１に記載のネットワークデバイス。
【請求項１３】
前記処理モジュールは、前記電力制御情報に対応する形成情報を生成するようさらに構成されており、前記形成情報は、下りリンク測定参照リソースのインデックス、コードブックインデックス値、及び量子化チャネル情報のうちの少なくとも１つを含み、
前記送信モジュールは、前記形成情報を前記端末デバイスに送信するようさらに構成されている、請求項１０乃至１２のうちのいずれか一項に記載のネットワークデバイス。
【請求項１４】
上りリンク測定参照信号の電力制御情報を受信するよう構成されている受信モジュールであって、前記電力制御情報は、送信電力目標値、送信電力調整値、及び経路損失情報のうちの少なくとも１つを含む、受信モジュールと、
前記電力制御情報に基づいて、前記上りリンク測定参照信号を生成するよう構成されている処理モジュールと、
前記上りリンク測定参照信号をネットワークデバイスに送信するよう構成されている送信モジュールと、
を有する端末デバイス。
【請求項１５】
前記経路損失情報は、経路損失値、参照信号受信電力（ＲＳＲＰ）値、及び、経路損失計算中に参照される少なくとも１つの下りリンク測定参照リソースのうちの少なくとも１つを含む、請求項１４に記載の端末デバイス。
【請求項１６】
前記処理モジュールは、複数の下りリンク測定参照リソースの各々の経路損失値を計算するようさらに構成されており、
前記処理モジュールは、前記の複数の経路損失値の平均値、前記の複数の経路損失値の最小経路損失値、又は前記の複数の経路損失値の最大経路損失値が、経路損失値であるということを決定するようさらに構成されている、請求項１４又は１５に記載の端末デバイス。
【請求項１７】
前記処理モジュールは、複数の上りリンク測定参照信号リソースの各々について、別個の電力制御情報を得るよう構成されている、請求項１４乃至１６のうちのいずれか一項に記載の端末デバイス。
【請求項１８】
前記受信モジュールは、前記ネットワークデバイスから形成情報を受信するようさらに構成されており、前記形成情報は、前記電力制御情報に対応し、前記形成情報は、下りリンク測定参照リソースのインデックス、コードブックインデックス値、又は量子化チャネル情報を含み、
前記処理モジュールは、前記電力制御情報及び前記形成情報に基づいて、前記上りリンク測定参照信号を生成するようさらに構成されており、
前記送信モジュールは、前記上りリンク測定参照信号を前記ネットワークデバイスに送信するようさらに構成されている、請求項１４乃至１７のうちのいずれか一項に記載の端末デバイス。
【請求項１９】
命令を含むコンピュータ読み取り可能な記憶媒体であって、前記命令がコンピュータ上で実行されたときに、前記コンピュータは、請求項１乃至４のうちのいずれか一項に記載の方法を実行する、又は、前記コンピュータは、請求項５乃至９のうちのいずれか一項に記載の方法を実行する、コンピュータ読み取り可能な記憶媒体。
【請求項２０】
コンピュータプログラムであって、前記コンピュータプログラムがコンピュータ上で実行されたときに、前記コンピュータは、請求項１乃至４のうちのいずれか一項に記載の方法を実行する、又は、前記コンピュータは、請求項５乃至９のうちのいずれか一項に記載の方法を実行する、コンピュータプログラム。
【請求項２１】
メモリと、プロセッサと、前記メモリに記憶されており前記プロセッサ上で実行されるコンピュータプログラムと、を有する通信デバイスであって、前記プログラムを実行したときに、前記プロセッサは、請求項１乃至４のうちのいずれか一項に記載の方法を実施する、又は、請求項５乃至９のうちのいずれか一項に記載の方法を実施する、通信デバイス。
【手続補正２】
【補正対象書類名】明細書
【補正対象項目名】０００２
【補正方法】変更
【補正の内容】
【０００２】
５Ｇニューラジオ（5th  generation  new  radio、５Ｇ  ＮＲ）の高周波数通信シナリオにおいて、上りリンク測定参照信号（Sounding  Reference  Signal、ＳＲＳ等）のカバレッジ範囲及び伝送効率を高めるために、基地局及び端末の送信／受信アンテナの量がさらに増大される。送信される上りリンクＳＲＳは、既存のＬＴＥシステムにおけるプリコーディングされていないＳＲＳ（non-precoded  SRS）であることもあるし、又は、プリコーディングされたＳＲＳ（precoded  SRS）及び／又はビームフォーミングＳＲＳ（beamforming  SRS）であることもある。
【手続補正３】
【補正対象書類名】明細書
【補正対象項目名】００３４
【補正方法】変更
【補正の内容】
【００３４】
ネットワークデバイスは、ＲＲＣシグナリング又はＭＡＣ  ＣＥシグナリングを通じて、目標値
【数４】
2020505857.tif 000062
及び経路損失情報
【数５】
2020505857.tif 000063
を設定する。この情報は、通常、ＳＲＳリソース設定シグナリングと結び付けられる。経路損失情報は、経路損失値、又は、経路損失値が計算されるときに使用される対応する下りリンク測定参照信号リソース（例えば、下りリンク測定参照信号リソースのインデックスｍ）を示すために使用され得る。経路損失計算中に参照される下りリンク測定参照リソースは、１つの下りリンク測定参照リソース又は複数の下りリンク測定参照リソースであってよい。参照される下りリンク測定参照リソースが１つの下りリンク測定参照リソースである場合、端末が、経路損失値が計算されるときに使用される対応する下りリンク測定参照信号リソースを知っているとき、端末は、下りリンク測定参照信号リソースを使用することによって計算された記憶されている経路損失値又はＲＳＲＰ値を直接読み出すことができる。端末が、参照信号受信電力（reference  signal  received  power、ＲＳＲＰ）値のみを読み出すことができる場合、端末は、さらに、経路損失情報ＰＬ＝Ｐｔｘ−ＲＳＲＰに基づいて、経路損失値を計算する。経路損失計算中に参照される下りリンク測定参照リソースが複数の下りリンク測定参照リソースである場合、端末は、複数の下りリンク測定参照リソースに基づいて計算された経路損失値の平均値をとる、又は、複数の下りリンク測定参照リソースに基づいて計算された経路損失値から最小値をとる、又は、複数の下りリンク測定参照リソースに基づいて計算された経路損失値から最大値をとる。
【手続補正４】
【補正対象書類名】明細書
【補正対象項目名】００４２
【補正方法】変更
【補正の内容】
【００４２】
経路損失情報は、経路損失値、又は、経路損失値が計算されるときに使用される対応する下りリンク測定参照信号リソース（例えば、下りリンク測定参照信号リソースのインデックスｍ）を示すために使用され得る。経路損失計算中に参照される下りリンク測定参照リソースは、１つの下りリンク測定参照リソース又は複数の下りリンク測定参照リソースであってよい。参照される下りリンク測定参照リソースが１つの下りリンク測定参照リソースである場合、端末が、経路損失値が計算されるときに使用される対応する下りリンク測定参照信号リソースを知っているとき、端末は、下りリンク測定参照信号リソースを使用することによって計算された記憶されている経路損失値又はＲＳＲＰ値を直接読み出すことができる。端末が、ＲＳＲＰ値のみを読み出すことができる場合、端末は、さらに、ＰＬ＝Ｐｔｘ−ＲＳＲＰに基づいて、経路損失値を計算する。経路損失計算中に参照される下りリンク測定参照リソースが複数の下りリンク測定参照リソースである場合、端末は、複数の下りリンク測定参照リソースに基づいて計算された経路損失値の平均値をとる、又は、複数の下りリンク測定参照リソースに基づいて計算された経路損失値から最小値をとる、又は、複数の下りリンク測定参照リソースに基づいて計算された経路損失値から最大値をとる。
【手続補正５】
【補正対象書類名】明細書
【補正対象項目名】００４８
【補正方法】変更
【補正の内容】
【００４８】
経路損失情報は、経路損失値、又は、経路損失値が計算されるときに使用される対応する下りリンク測定参照信号リソース（例えば、下りリンク測定参照信号リソースのインデックスｍ）を示すために使用され得る。経路損失計算中に参照される下りリンク測定参照リソースは、１つの下りリンク測定参照リソース又は複数の下りリンク測定参照リソースであってよい。参照される下りリンク測定参照リソースが１つの下りリンク測定参照リソースである場合、端末が、経路損失値が計算されるときに使用される対応する下りリンク測定参照信号リソースを知っているとき、端末は、下りリンク測定参照信号リソースを使用することによって計算された記憶されている経路損失値又はＲＳＲＰ値を直接読み出すことができる。端末が、ＲＳＲＰ値のみを読み出すことができる場合、端末は、さらに、ＰＬ＝Ｐｔｘ−ＲＳＲＰに基づいて、経路損失値を計算する。経路損失計算中に参照される下りリンク測定参照リソースが複数の下りリンク測定参照リソースである場合、端末は、複数の下りリンク測定参照リソースに基づいて計算された経路損失値の平均値をとる、又は、複数の下りリンク測定参照リソースに基づいて計算された経路損失値から最小値をとる、又は、複数の下りリンク測定参照リソースに基づいて計算された経路損失値から最大値をとる。
【手続補正６】
【補正対象書類名】明細書
【補正対象項目名】００５２
【補正方法】変更
【補正の内容】
【００５２】
ネットワークデバイスは、ＲＲＣシグナリング又はＭＡＣ  ＣＥシグナリングを通じて、目標値
【数１７】
2020505857.tif 000064
及び経路損失情報
【数１８】
2020505857.tif 000065
を設定する。この情報は、通常、ＳＲＳリソース設定シグナリングと結び付けられる。経路損失情報は、経路損失値、又は、経路損失値が計算されるときに使用される対応する下りリンク測定参照信号リソース（例えば、下りリンク測定参照信号リソースのインデックスｍ）を示すために使用され得る。経路損失計算中に参照される下りリンク測定参照リソースは、１つの下りリンク測定参照リソース又は複数の下りリンク測定参照リソースであってよい。参照される下りリンク測定参照リソースが１つの下りリンク測定参照リソースである場合、端末が、経路損失値が計算されるときに使用される対応する下りリンク測定参照信号リソースを知っているとき、端末は、下りリンク測定参照信号リソースを使用することによって計算された記憶されている経路損失値又はＲＳＲＰ値を直接読み出すことができる。端末が、ＲＳＲＰ値のみを読み出すことができる場合、端末は、さらに、ＰＬ＝Ｐｔｘ−ＲＳＲＰに基づいて、経路損失値を計算する。経路損失計算中に参照される下りリンク測定参照リソースが複数の下りリンク測定参照リソースである場合、端末は、複数の下りリンク測定参照リソースに基づいて計算された経路損失値の平均値をとる、又は、複数の下りリンク測定参照リソースに基づいて計算された経路損失値から最小値をとる、又は、複数の下りリンク測定参照リソースに基づいて計算された経路損失値から最大値をとる。
【手続補正７】
【補正対象書類名】明細書
【補正対象項目名】００６２
【補正方法】変更
【補正の内容】
【００６２】
経路損失情報は、経路損失値、又は、経路損失値が計算されるときに使用される対応する下りリンク測定参照信号リソース（例えば、下りリンク測定参照信号リソースのインデックスｍ）を示すために使用され得る。経路損失計算中に参照される下りリンク測定参照リソースは、１つの下りリンク測定参照リソース又は複数の下りリンク測定参照リソースであってよい。参照される下りリンク測定参照リソースが１つの下りリンク測定参照リソースである場合、端末が、経路損失値が計算されるときに使用される対応する下りリンク測定参照信号リソースを知っているとき、端末は、下りリンク測定参照信号リソースを使用することによって計算された記憶されている経路損失値又はＲＳＲＰ値を直接読み出すことができる。端末が、ＲＳＲＰ値のみを読み出すことができる場合、端末は、さらに、ＰＬ＝Ｐｔｘ−ＲＳＲＰに基づいて、経路損失値を計算する。経路損失計算中に参照される下りリンク測定参照リソースが複数の下りリンク測定参照リソースである場合、端末は、複数の下りリンク測定参照リソースに基づいて計算された経路損失値の平均値をとる、又は、複数の下りリンク測定参照リソースに基づいて計算された経路損失値から最小値をとる、又は、複数の下りリンク測定参照リソースに基づいて計算された経路損失値から最大値をとる。
【手続補正８】
【補正対象書類名】明細書
【補正対象項目名】００６７
【補正方法】変更
【補正の内容】
【００６７】
経路損失情報は、経路損失値、又は、経路損失値が計算されるときに使用される対応する下りリンク測定参照信号リソース（例えば、下りリンク測定参照信号リソースのインデックスｍ）を示すために使用され得る。経路損失計算中に参照される下りリンク測定参照リソースは、１つの下りリンク測定参照リソース又は複数の下りリンク測定参照リソースであってよい。参照される下りリンク測定参照リソースが１つの下りリンク測定参照リソースである場合、端末が、経路損失値が計算されるときに使用される対応する下りリンク測定参照信号リソースを知っているとき、端末は、下りリンク測定参照信号リソースを使用することによって計算された記憶されている経路損失値又はＲＳＲＰ値を直接読み出すことができる。端末が、ＲＳＲＰ値のみを読み出すことができる場合、端末は、さらに、ＰＬ＝Ｐｔｘ−ＲＳＲＰに基づいて、経路損失値を計算する。経路損失計算中に参照される下りリンク測定参照リソースが複数の下りリンク測定参照リソースである場合、端末は、複数の下りリンク測定参照リソースに基づいて計算された経路損失値の平均値をとる、又は、複数の下りリンク測定参照リソースに基づいて計算された経路損失値から最小値をとる、又は、複数の下りリンク測定参照リソースに基づいて計算された経路損失値から最大値をとる。
【手続補正９】
【補正対象書類名】明細書
【補正対象項目名】００７４
【補正方法】変更
【補正の内容】
【００７４】
経路損失情報は、経路損失値、又は、経路損失値が計算されるときに使用される対応する下りリンク測定参照信号リソース（例えば、下りリンク測定参照信号リソースのインデックスｍ）を示すために使用され得る。経路損失計算中に参照される下りリンク測定参照リソースは、１つの下りリンク測定参照リソース又は複数の下りリンク測定参照リソースであってよい。参照される下りリンク測定参照リソースが１つの下りリンク測定参照リソースである場合、端末が、経路損失値が計算されるときに使用される対応する下りリンク測定参照信号リソースを知っているとき、端末は、下りリンク測定参照信号リソースを使用することによって計算された記憶されている経路損失値又はＲＳＲＰ値を直接読み出すことができる。端末が、ＲＳＲＰ値のみを読み出すことができる場合、端末は、さらに、ＰＬ＝Ｐｔｘ−ＲＳＲＰに基づいて、経路損失値を計算する。経路損失計算中に参照される下りリンク測定参照リソースが複数の下りリンク測定参照リソースである場合、端末は、複数の下りリンク測定参照リソースに基づいて計算された経路損失値の平均値をとる、又は、複数の下りリンク測定参照リソースに基づいて計算された経路損失値から最小値をとる、又は、複数の下りリンク測定参照リソースに基づいて計算された経路損失値から最大値をとる。
【手続補正１０】
【補正対象書類名】明細書
【補正対象項目名】０１０５
【補正方法】変更
【補正の内容】
【０１０５】
メモリ１２０１、プロセッサ１２０２、及び通信インタフェース１２０３は、バスシステム１２０４を使用することによって、共に結合される、又は、別の方式で接続されてもよい。メモリ１２０１は、ランダムアクセスメモリを含むこともあるし、又は、少なくとも１つの磁気ディスクストレージ等の不揮発性メモリを含むこともある。バスシステム１２０４は、業界標準アーキテクチャ（Industry  Standard  Architecture、略してＩＳＡ）バス、周辺コンポーネント相互接続（Peripheral  Component  Interconnect、略してＰＣＩ）バス、拡張業界標準アーキテクチャ（Extended  Industry  Standard  Architecture、略してＥＩＳＡ）バス、又は同様のものであってよい。バスシステム１２０４は、アドレスバス、データバス、制御バス、及び同様のものに分類され得る。表現しやすくするために、１つの太線のみが、図１２においてバスを表現するために使用されているが、これは、１つのバス又は１つのタイプのバスしか存在しないことを意味するものではない。
【手続補正１１】
【補正対象書類名】明細書
【補正対象項目名】０１０６
【補正方法】変更
【補正の内容】
【０１０６】
実施態様において、図１０における受信モジュール及び送信モジュールは、通信インタフェース１２０３に統合されてもよく、残りのモジュールは、プロセッサ１２０２に統合されてもよい。残りのモジュールは、ハードウェア形態で、ネットワークデバイスのプロセッサに組み込まれてもよいし、又は、ネットワークデバイスのプロセッサとは独立してもよく、又は、プロセッサが前述のモジュールに対応する動作を実行するためのコード又はプログラムを呼び出すように、ソフトウェア形態で、ネットワークデバイスのメモリに記憶されてもよい。プロセッサは、中央処理装置（central  processing  unit、略してＣＰＵ）、特定用途向け集積回路（application  specific  integrated  circuit、略してＡＳＩＣ）であってもよいし、又は、本出願の実施形態を実現するための１つ以上の集積回路に構成される。
【手続補正１２】
【補正対象書類名】明細書
【補正対象項目名】０１０９
【補正方法】変更
【補正の内容】
【０１０９】
メモリ１３０１、プロセッサ１３０２、及び通信インタフェース１３０３は、バスシステム１３０４を使用することによって、共に結合される、又は、別の方式で接続されてもよい。メモリ１３０１は、ランダムアクセスメモリを含むこともあるし、又は、少なくとも１つの磁気ディスクストレージ等の不揮発性メモリを含むこともある。バスシステム１３０４は、業界標準アーキテクチャ（Industry  Standard  Architecture、略してＩＳＡ）バス、周辺コンポーネント相互接続（Peripheral  Component  Interconnect、略してＰＣＩ）バス、拡張業界標準アーキテクチャ（Extended  Industry  Standard  Architecture、略してＥＩＳＡ）バス、又は同様のものであってよい。バスシステム１３０４は、アドレスバス、データバス、制御バス、及び同様のものに分類され得る。表現しやすくするために、１つの太線のみが、図１３においてバスを表現するために使用されているが、これは、１つのバス又は１つのタイプのバスしか存在しないことを意味するものではない。
【手続補正１３】
【補正対象書類名】明細書
【補正対象項目名】０１１０
【補正方法】変更
【補正の内容】
【０１１０】
実施態様において、図１１における受信モジュール及び送信モジュールは、通信インタフェース１３０３に統合されてもよく、残りのモジュールは、プロセッサ１３０２に統合されてもよい。残りのモジュールは、ハードウェア形態で、ネットワークデバイスのプロセッサに組み込まれてもよいし、又は、ネットワークデバイスのプロセッサとは独立してもよく、又は、プロセッサが前述のモジュールに対応する動作を実行するためのコード又はプログラムを呼び出すように、ソフトウェア形態で、ネットワークデバイスのメモリに記憶されてもよい。プロセッサは、中央処理装置（central  processing  unit、略してＣＰＵ）、特定用途向け集積回路（application  specific  integrated  circuit、略してＡＳＩＣ）であってもよいし、又は、本出願の実施形態を実現するための１つ以上の集積回路に構成される。
【手続補正１４】
【補正対象書類名】図面
【補正対象項目名】図１
【補正方法】変更
【補正の内容】
【図１】
2020505857.tif 000066
【手続補正１５】
【補正対象書類名】図面
【補正対象項目名】図９
【補正方法】変更
【補正の内容】
【図９】
2020505857.tif 000067
【手続補正１６】
【補正対象書類名】図面
【補正対象項目名】図１２
【補正方法】変更
【補正の内容】
【図１２】
2020505857.tif 000068
【手続補正１７】
【補正対象書類名】図面
【補正対象項目名】図１３
【補正方法】変更
【補正の内容】
【図１３】
2020505857.tif 000069
【国際調査報告】
2020505857.tif 000070
2020505857.tif 000071
2020505857.tif 000072
2020505857.tif 000073